(57)【特許請求の範囲】
【請求項１】
オペレーションパネルに設けられている操作キーの操作によって、所定の動作を行わせる画像通信装置において、
上記操作キーの操作による入力を禁止するキーロックＳＷと；
上記キーロックＳＷによる入力禁止が解除されたか否かを判断する解除判断手段と；
計時手段と；
指定時刻情報を記憶する指定時刻情報記憶手段と；
上記計時手段が計時した時刻が指定時刻になったか否かを判断する指定時刻判断手段と；
を有し、上記キーロックＳＷによってキー操作の入力を禁止された状態で上記指定時刻判断手段が指定時刻になったと判断すると、上記解除判断手段は上記操作キーの操作による入力禁止が解除されたと判断し操作キーの入力を有効にすることを特徴とする画像通信装置。
【請求項２】
請求項１において、
上記操作キーのそれぞれについて、上記キーロックＳＷによる入力禁止を行なうか否かを示す属性情報を記憶する属性記憶手段と；
キー属性と上記キーロックＳＷの設定とを比較する比較手段と；
を有し、上記比較手段による比較した結果、入力された操作キーの属性が上記キーロックＳＷによる入力禁止を行わないという属性である場合はその操作キーの入力を有効にすることを特徴とする画像通信装置。
【請求項３】
請求項１または請求項２において、
上記画像通信装置は、ファクシミリ装置であることを特徴とする画像通信装置。
【発明の詳細な説明】
【０００１】
【発明の属する技術分野】
本発明は、ファクシミリ通信、特に無線子機等を備えたファクシミリ装置等の画像通信装置に関する。
【０００２】
【従来の技術】
近年、コードレスハンドスキャナ、コードレス子機、留守番電話機能、さらには、カラー画像を取り扱うことができるホーム対象の画像処理装置としてホームファクシミリ装置の普及が大きく伸びている。
【０００３】
【発明が解決しようとする課題】
しかし、上記従来例では、はがきコピー機能、デジタルカメラで取ったデータをプリントする機能等の多くの機能が盛り込まれ、家庭を対象にし、ホームファクシミリ装置という名前の通り、各家庭に装置が設置されてきているので、不用な操作による無駄な動作があるという問題がある。
【０００４】
すなわち、ファクシミリ装置は、通常、操作部があり操作部に設けられているボタンを押すことによって、たとえばオフフックボタンを押して、回線を捕捉したり、ワンタッチボタンやテンキーボタンを押して、電話をかけたり、スタートボタンを押して、受信記録を実行したり、子機呼出ボタンを押して、無線子機を呼び出せたり、呼出音量調節ボタンを押して、呼出音がなったり、さらには、記録部にＢＪ方式を採用している装置においては、クリーニングボタンを押して、ＢＪのクリーニングを実行できるようになっている。
【０００５】
また、それらの操作を、使用者が意思を持って操作すれば、使い勝手を考え、とても良く作成されている。
【０００６】
しかし、一旦、意思が無い状態で操作されると、無駄に回線を接続し、話中状態を作ったり、呼出音や子機呼出を行い、無線子機が鳴り出し、夜中等は迷惑となったり、クリーニングをむやみに行うと、ＢＪインクがどんどん無くなり、使いたいときに、インク切れとなる等、無駄な動作による悪影響が増大されるという問題がある。
【０００７】
家庭に設置されるホームファクシミリ装置では、子供（特に幼児）が操作すると、クリーニングをむやみに行い、ＢＪインクがどんどん無くなり、使いたいときに、インク切れになるという問題がある。実際、幼児は、興味を持ったものに対しては、飽きることを知らず、親等が止めるまで同じ事を何十回となく繰り返すことが少なくない。
【０００８】
一方、小動物（特に猫等）が操作すると、無駄に回線を接続して、話中状態を作ったり、呼出音や子機呼出を行って、無線子機が鳴り出し、夜中等には非常に迷惑になるという問題がある。猫等が夜中に、ファクシミリ装置の上を何気なく歩くことがあり、電話を発呼したり、クリーニングを行ったりすることが多い。
【０００９】
つまり、従来のファクシミリ装置では、幼児等による無邪気な行動に起因して高価なＢＪインクが無駄に使用されるという問題があり、また、猫等が家庭生活のリズムを狂わせるという問題がある。
【００１０】
上記問題は、画像通信機能を有するパソコン等、ファクシミリ装置以外の画像通信装置でも生じる問題である。
【００１１】
本発明は、幼児等による無邪気な行動に起因して高価なＢＪインクが無駄に使用されることを防止することができ、また、猫等が家庭生活のリズムを狂わせることを防止することができる画像通信装置を提供することを目的とするものである。
【００１２】
【課題を解決するための手段】
本発明は、オペレーションパネルに設けられている操作キーの操作によって、所定の動作を行わせる画像通信装置において、上記操作キーの操作による入力を禁止するキーロックＳＷと、上記キーロックＳＷによる入力禁止が解除されたか否かを判断する解除判断手段と、計時手段と、指定時刻情報を記憶する指定時刻情報記憶手段と、上記計時手段が計時した時刻が指定時刻になったか否かを判断する指定時刻判断手段とを有し、上記キーロックＳＷによってキー操作の入力を禁止された状態で上記指定時刻判断手段が指定時刻になったと判断すると、上記解除判断手段は上記操作キーの操作による入力禁止が解除されたと判断し操作キーの入力を有効にすることを特徴とする画像通信装置である。
【００１３】
【発明の実施の形態および実施例】
図１は、本発明の第１の実施例である画像処理装置１００を示すブロック図である。
【００１４】
画像処理装置１００において、ＣＰＵ１０１は、システム制御部であり、装置全体を制御する。ＲＯＭ１０２は、ＣＰＵ１０１の制御プログラムを格納するメモリである。ＲＡＭ１０３は、ＳＲＡＭ等で構成され、プログラム制御変数等を格納するものであり、また、オペレータが登録した設定値や装置の管理データ等や各種ワーク用バッファをも格納するメモリである。画像メモリ１０４は、ＤＲＡＭ等で構成され、画像データを蓄積するメモリである。
【００１５】
画像処理部１０５は、エッジ強調、輝度／濃度変換、多値／２値変換等を行うものである。操作部１０６は、キーボード等で構成され、オペレータが各種入力操作を行うものである。記録制御処理部１０７は、２値情報を記録用のネーティブコマンドヘの変換を行うものである。圧縮／伸張処理部１０８は、ＭＨ、ＭＲ等画像データの変換を行うものである。
【００１６】
子機制御部１０９は、無線１１８で子機インタフェース部１１０の制御を行い、子機との間で情報の送受制御を行うものである。シートスキャナ１１２は、ＣＳまたはＣＣＤイメージセンサ、原稿搬送機構等で構成され、原稿を光学的に読み取り、電気的な画像データに変換するものである。この画像データは、読取制御処理部１１１によってガンマ処理、位置補正処理が施され、高精細な画像データとして出力される。
【００１７】
ラインバッファ１１３は、画像データの転送制御を行う場合に使用するバッファである。プリンタ１１５は、受信画像やファイルデータを普通紙に記録するＢＪプリンタである。プリンタインタフェース部１１４は、パーソナルコンピュータからのファイルデータのプリントを行う際にプリンタ記述言語に変換するものである。通信部１１６は、回線１１９を介して、他の通信機と交信を行うモデムやネットワーク制御ユニット等で構成されている。動作間隔等を計測する計時部１１７は、時計ＩＣ等で構成されている。
【００１８】
図２は、上記実施例における操作部１０６を示すブロック図である。
【００１９】
操作部１０６は、相手と通話を行うハンドセット２０１と、相手に発呼するテンキー２０２と、各種操作を促したり、エラー（注意）情報を表示する表示部２０３と、各種登録動作やテスト動作を指示するファンクションモードキー２０４と、留守録用の録音キー２０５と、再生キー２０６と、消去キー２０７と、ＬＣＲ機能時に動作を通知するα５表示ランプ２０８と、カラー／モノクロ処理を切り替える切替キー２０９と、コピー／通信等の画質を設定する画質キー２１０とを有する。
【００２０】
また、操作部１０６は、相手に画情報を送るファクシミリ送信開始キー２１１と、同じく受信開始やメモリに受信された画情報を印刷する受信プリント開始キー２１２と、コピーを行うコピー開始キー２１３と、各種動作を停止させるストップキー２１４と、子機を呼び出す子機呼出キー２１５と、保留キー２１６とを有する。保留キー２１６は、消灯時等に画像処理装置１００を留守モードに設定したり、操作部を全て無効にするおやすみモードキー、または、通話中に相手を待たせるキーである。
【００２１】
さらに、操作部１０６は、１つ前に発呼した電話番号を再発呼するリダイヤルキーまたは発呼時に交換機を一時待たせるポーズキー２１７と、相手からかかってきた情報（たとえば電話番号）を順番に上記表示部で知らせる着信履歴キー、または、通話中に第三者からの着信を受けるためのキャッチホンキー２１８と、回線を捕捉し、拡声モードにするために使用するスピーカホンキー２１９と、音声で相手に発呼を行うボイスダイヤルキー２２０と、留守番電話の留守設定に切り替える留守キー２２１と、呼出音量を大きくする呼出音量大キー２２２と、呼出音量を小さくする呼出音量小キー２２３と、各種登録操作時に該当情報を決定するセットキー２２４とを有する。
【００２２】
次に、上記実施例の動作について説明する。
【００２３】
図３は、上記実施例において、おやすみモード時における記憶領部内の設定状態を示すメモリ構成図である。
【００２４】
図４は、上記実施例において、操作部１０６における一部のキー入力に関する動作を示すフローチャートである。
【００２５】
キー入力が行われると（Ｓ１）、入力されたキーに応じて、さまざまな動作が行われる。子機呼出キー２１５が押されると、現在呼出中であるか否かの判断を行い（Ｓ２）、呼出し中でなければ、子機に呼出音を鳴動するように子機制御部１０９、子機インタフェース部１１０を介して、無線で接続されている子機を呼び出す（Ｓ３）。この際に、親機が子機モニタを開始し（Ｓ４）、子機が応答するのを待つ。また、既に呼出中で子機が応答をしないので呼出を中止する際にも、子機呼出キー２１５が押下され、子機の呼出を中止する信号を子機制御部１０９、子機インタフェース部１１０を介して、子機に通知し、呼出を停止させる。この際に、親機の子機モニタも解除する（Ｓ６）。
【００２６】
呼出音量調節キー２２２、２２３が押下され（Ｓ７）、つまり、呼出音量を大きくするキー２２２が押下されれば、音量を大きくし、呼出音を一度鳴動させ（Ｓ８）、呼出音量を小さくするキー２２３が押下されれば、呼出音量を小さくし、一度鳴動させる（Ｓ９）。
【００２７】
拡声モード用のスピーカホンキー２１９が押下されると、回線モニタを開始し（Ｓ１０）、テンキー２０２等でダイヤルが既に押下されているか否かを判断し（Ｓ１１）、押下されていれば、回線に対して発呼処理を行う（Ｓ１２）。また、各種モードでも使用するセットキーの押下でも、テンキー等でダイヤルが既に押下されていると、回線モニタを開始し、発呼処理を動作させる。
【００２８】
上記のように、いくつかのキーによっては、本機または子機から音が出力される。
【００２９】
そこで、上記実施例では、おやすみモードキー２１６を押下することによって、上記動作を停止させるようにする。
【００３０】
まず、おやすみモードには、図３に示すように、留守モードに設定し、相手からの着信時に、音声の着信であれば、留守番電話へ移行させ、ファクシミリの着信であれば、自動受信させ、受け側が操作を行わなくても自動で処理できるモードと、そのモードに加えて、上記操作、つまり操作部での処理を全て無効にするモードとがある。
【００３１】
図５は、上記実施例において、操作部１０６の一部のキー入力に関する動作を示すフローチャートである。
【００３２】
おやすみモードキー２１６が押下されると、現在のおやすみモードのうちで、どちらであるかを判定し（Ｓ５１）、モード設定であれば、留守モードに設定し（Ｓ５２）、操作部無効モードであれば、留守モードに設定し、さらに、その後における操作部による操作を無効にする（Ｓ５３）。そして、親機と子機との表示部２０３に、その旨（操作部無効モードが設定されている旨）を表示する（Ｓ５４）。
【００３３】
なお、操作部無効モードは、読み取り動作、画像処理動作、画像記録動作、発呼動作、通信動作を指示する動作指示手段による上記各動作の指示を無効にするモードである。
【００３４】
次に、上記実施例におけるおやすみモードの解除動作について説明する。
【００３５】
図６は、上記実施例におけるおやすみモードの解除動作を示すフローチャートである。
【００３６】
おやすみモードが留守設定されているときに、おやすみモードキーを再度押下しても、おやすみモードを解除することができるが、操作部無効モードでは、おやすみモードキーも無効になるので、親機のハンドセットを持ち上げ、オフフック状態にする（Ｓ６１）。これによって、おやすみモードであれば（Ｓ６２）、留守設定の解除と操作部無効モードの解除とを行い（Ｓ６３）、通話可能状態へ移行する（Ｓ６４）。
【００３７】
上記実施例において、おやすみモードで、留守モード設定と操作部無効設定とを行い、操作部無効設定で、留守モードを含むが、別々でもよい。つまり、留守モードとは独立して、操作部無効設定を行うようにしてもよい。
【００３８】
また、子機を使用して、操作部無効設定を解除する場合は、オフフック信号だけでなく、オフフック信号以外の信号を使用して、操作部無効設定を解除できるようにしてもよい。
【００３９】
さらに、おやすみモードキーの長押し等、押下状態を変更する方法によって、操作部無効設定を解除するようにしてもよい。
【００４０】
上記実施例によれば、今後さらに普及が拡大されるホーム市場において、家庭での使用が増大するので、生活のリズムを狂わせるような動作（たとえば、夜中に猫等が操作部の各ボタンを押すことによる悪影響）を引き起こすことが無く、また、幼児の無邪気な行動による高価なＢＪインクの使用を防止することができ、したがって、購入後の不満を導きださない。
【００４１】
なお、ＲＯＭ１０２とＣＰＵ１０１と操作部１０６とは、読み取り動作、画像処理動作、画像記録動作、発呼動作、通信動作を指示する動作指示手段の例であり、また、動作指示手段による上記各動作の指示を無効にする動作指示無効化手段の例である。
【００４２】
ところで、キーロック機能を設けることによって、誤操作を防止することができる従来のファクシミリ装置では、その高機能化、複雑化に伴い、オペレータが誤ったキーを押すと、意図しない機能設定になり、また、登録データやソフトＳＷが書き換わる等、予期しない動作が起こるという問題がある。
【００４３】
たとえば、受信モードの切替キーを不用意に押すと、自動受信状態が、手動受信状態になり、受信することができない。
【００４４】
従来の技術では、データ登録を可能にしたり不可能にしたりするデータのプロテクトＳＷを設けることによって、登録データをハード的に保護したり、キー入力をソフト的にスキャンする方式ではなく、機能キーそのものの設定がハード的に固定されるＳＷを設け、これを切り替えることによって、不用意に切り替わらないようにしている。
【００４５】
また、別の従来例では、目的は異なるが、セキュリティの目的で、パスワードによるキーロックによって、ソフト的に発呼禁止させている。これと同じくセキュリティの目的で、ハード的にキー操作を禁止する発明が、特開平７−１５５８２号公報に開示されている。
【００４６】
上記従来技術のうちで、ハード的なＳＷの切り替えによるものは、誤操作を防止する場合、その機能の数だけＳＷを用意する必要がある。また、キーに割り当てる機能をユーザカスタマイズできるようにする（いわゆるプログラムキーである）ためには、ハード的なＳＷは不向きであるという問題がある。
【００４７】
また、上記従来技術のうちで、ソフトＳＷの階層を深くし、キーの操作をワンアクションでは切り替わらないようにする純粋ソフト的手法もあり得るが、操作性を悪化させる要因になるという問題がある。オペレータが即機能を認識できるように、キーと機能とが１対１になっているほうが、操作性には優れ、ソフトキーによって階層を深くする手法では、操作性が劣るという問題がある。
【００４８】
上記問題は、画像通信機能を有するパソコン等、ファクシミリ装置以外の画像通信装置でも生じる問題である。
【００４９】
本発明は、操作性を犠牲にせずに、誤操作を防止することができる画像通信装置を提供することを目的とするものである。
【００５０】
［第２の実施例］
図７は、本発明の第２の実施例の動作を示すフローチャートである。
【００５１】
なお、第２の実施例以降の実施例を実現するハードウェアは、図１に示す画像処理装置１００と同様のものである。
【００５２】
第２の実施例では、キーロックＳＷとして、ハード的な固定位置を保持しないタクトキーを使用した場合の実施例である。ここで、キーロックＳＷは、操作キーがロック状態でＯＮし、操作キーが解除状態でＯＦＦするスイッチである。タイマ１は、キーロック解除した後、指定時間後に自動的にキーロック状態に移行するタイマである。
【００５３】
Ｓ１０２、Ｓ１０３では、キー入力をスキャンし、Ｓ１０４では、入力されたキーがキーロックＳＷであるか否かを判断し、キーロックＳＷが押下されていれば、ステップＳ１０５に進む。
【００５４】
Ｓ１０３では、キー入力がない場合、ステップＳ１１３に進み、キーロック状態であるか否かを調べ、キーロック状態であれば、ステップＳ１０６に飛ぶ。
【００５５】
Ｓ１０５では、キーロックフラグ（現在操作キーロックされている状態であるか、解除されている状態であるかを示すフラグ）がＯＮであるか否かを調べ、ＯＮ（キーロック状態）であれば、ステップＳ１０６に進む。
【００５６】
Ｓ１０６では、キーロック状態に設定し直し、Ｓ１０７では、タイマ１のカウントを停止させ、終了する。
【００５７】
Ｓ１０４では、キーロックＳＷ以外が押下されていれば、ステップＳ１０８に進み、キーロックフラグがＯＮであるか否かを調べ、キーロック状態であれば、入力されたキーを無視し、ステップＳ１０２に戻り、次のキースキャンを行う。
【００５８】
Ｓ１０５では、キーロックフラグがＯＮでなければ、ステップＳ１１５に進み、キーロックフラグをＯＦＦにセットし、ステップＳ１１６に進む。
【００５９】
Ｓ１１６では、タイマ１のカウントをスタートし、ステップＳ１１０に進む。
【００６０】
Ｓ１１０では、タイマ１をチェックし、カウンタがフルになっていなければ、ステップＳ１０２に戻り、キー入力を待つ。
【００６１】
Ｓ１０８では、キーロックフラグがＯＦＦ（キーロック解除）であれば、ステップＳ１０９に進み、入力されたキーに応じて、所定の動作を行った後に、ステップＳ１１０に進む。
【００６２】
Ｓ１１０では、タイマ１がフルになっていなければ、ステップＳ１０２に戻り、次のキー入力を待つ。
【００６３】
Ｓ１１０では、タイマ１がフルになっていれば、ステップＳ１１１では、キーロックフラグをＯＮ（キーロック状態にセット）し、Ｓ１１２では、タイマ１を停止し、終了する。
【００６４】
つまり、第２の実施例によれば、キーロックＳＷを採用するので、キー操作をアクションにすれば、不用意な誤操作を防止できる。
【００６５】
［第３の実施例］
図８は、第３の実施例の動作を示すフローチャートである。
【００６６】
第３の実施例は、第２の実施例において、キー属性がロックであるか否かを判断するステップ（Ｓ１２９）を追加した実施例である。
【００６７】
つまり、第３の実施例は、キーロックＳＷによってキーロック状態に設定した場合に、そのキーをロックするか否かを指定できるようにしたものであり、キーロックＳＷとキー属性とのＡＮＤ条件が成り立っている場合には、該当する操作キーをロックする。
【００６８】
操作キーへ属性を登録する場合、オペレータが登録を操作できるようにしてもよく、また、装置の特定キーのみに、その属性を予め持たせる構成にしてもよい。この場合は、オペレータが設定することはできない。
【００６９】
すなわち、第３の実施例によれば、キーロックＳＷによって全ての操作キーをロックしてしまうのではなく、使用頻度の低い操作キーのみをロックするので、操作性を犠牲にせずに、誤操作を防止できる。
【００７０】
つまり、第３の実施例によれば、キーロックＳＷによって全ての操作キーをロックしてしまうのではなく、特定の使用頻度が低い操作キーのみをロックすることによって、操作性の面での犠牲なしに、誤操作を防止できる。
【００７１】
［第４の実施例］
図９は、本発明の第４の実施例の動作を示すフローチャートである。
【００７２】
第４の実施例は、第２、３の実施例において、ハード的に固定位置を保持できるＳＷによって、キーロックＳＷを構成した実施例である。
【００７３】
つまり、第４の実施例によれば、キーロックする操作キーをオペレータにカスタマイズさせることを可能にし、オペレータの希望に応じて、より操作性を改善しつつ、誤操作を防止できる。
【００７４】
［第５の実施例］
図１０は、本発明の第５の実施例の動作を示すフローチャートである。
【００７５】
第５の実施例は、第４の実施例において、パスワードを組み合わせた（Ｓ１５７、Ｓ１５８）実施例である。
【００７６】
図１０において、ステップＳ１５７、Ｓ１５８で、パスワードの照合を追加することによって、パスワードが一致したときにのみ、所定の動作を受け付けるものである。
【００７７】
第５の実施例では、説明を簡単にするために、第４の実施例にパスワードを組み合わせた実施例であるが、第２、３の実施例のそれぞれに、パスワードを組み合わせるようにしてもよい。
【００７８】
つまり、第５実施例によれば、暗証パスワードを組み合わせてセキュリティ（使用者制限）の目的に流用させることも可能である。
【００７９】
［第６の実施例］
図１１は、本発明の第６の実施例の動作を示すフローチャートである。
【００８０】
第６の実施例は、第２、３の実施例において、時刻の照合を組み合わせた実施例であり、キーロックＳＷの解除の際に、時刻の照合を追加する（Ｓ１６８）ことによって、指定時刻にのみ、所定の動作を受け付ける実施例である。
【００８１】
つまり、第６の実施例によれば、タイマ機能を組み合わせて時刻指定による使用者制限を実現できる。
【００８２】
なお、上記各実施例を、画像通信機能を有するパソコン等、ファクシミリ装置以外の画像通信装置に適用するようにしてもよい。
【００８３】
【発明の効果】
本発明によれば、操作キーによる入力を禁止するキーロックＳＷによって、キー操作の入力禁止が設定されている場合でも、指定時刻になったときには、その指定時刻の間はキー操作の入力禁止を解除するユーザの操作がなく、自動的にキー操作の入力禁止を解除することができるので、ハードＳＷを機能分だけ用意したりあるいはソフトＳＷの階層を深くしキー操作をワンアクションで切り替わらないようにする純粋ソフト的手法を用いずに、時刻の指定を行うだけで、指定時刻にのみ所定の動作を受付けることができ、また時刻指定による使用者制限を実現でき、操作性を犠牲にせずに誤動作を防止することができるという効果を奏する。
【図面の簡単な説明】
【図１】本発明の第１の実施例である画像処理装置１００を示すブロック図である。
【図２】上記実施例における操作部１０６を示すブロック図である。
【図３】上記実施例において、おやすみモード時における記憶領部内の設定状態を示すメモリ構成図である。
【図４】上記実施例において、操作部１０６における一部のキー入力に関する動作を示すフローチャートである。
【図５】上記実施例において、操作部１０６の一部のキー入力に関する動作を示すフローチャートである。
【図６】上記実施例におけるおやすみモードの解除動作を示すフローチャートである。
【図７】本発明の第２の実施例の動作を示すフローチャートである。
【図８】第３の実施例の動作を示すフローチャートである。
【図９】本発明の第４の実施例の動作を示すフローチャートである。
【図１０】本発明の第５の実施例の動作を示すフローチャートである。
【図１１】本発明の第６の実施例の動作を示すフローチャートである。
【符号の説明】
１００…画像処理装置、
１０１…ＣＰＵ、
１０２…ＲＯＭ、
１０３…ＲＡＭ、
１０４…画像メモリ、
１０５…画像処理部、
１０６…操作部、
１０７…記録制御処理部、
１０８…圧縮／伸張処理部、
１０９…子機制御部、
１１０…子機インタフェース部、
１１２…シートスキャナ部、
１１５…プリンタ、
１１６…通信部、
１１７…計時部。
【図１】
0003592241.tif 000002
【図２】
0003592241.tif 000003
【図３】
0003592241.tif 000004
【図４】
0003592241.tif 000005
【図５】
0003592241.tif 000006
【図６】
0003592241.tif 000007
【図７】
0003592241.tif 000008
【図８】
0003592241.tif 000009
【図９】
0003592241.tif 000010
【図１０】
0003592241.tif 000011
【図１１】
0003592241.tif 000012